(57)【特許請求の範囲】
【請求項１】
身体の対角線上にある左手首と右足首との間および右手首と左足首との間に微弱電流を流して、交感神経、副交感神経の作用を抑制するようにした電気的刺激装置であって、
手首の内側にのみ装着される左右一対の手首用内側電極部材と、
手首の外側にのみ装着される左右一対の手首用外側電極部材と、
足首の内側にのみ装着される左右一対の足首用内側電極部材と、
足首の外側にのみ装着される左右一対の足首用外側電極部材と、
前記各電極部材間での通電状態を切換制御する制御手段と、
を備え、
前記制御手段は、第１通電状態と第２通電状態との間で切換制御するように設定され、
前記第１通電状態が、前記左手首用外側電極部材と前記右足首用外側電極部材とを対として通電させつつ、前記右手首用外側電極部材と左足首用外側電極部材とを対として通電させる状態とされ、
前記第２通電状態が、前記左手首用内側電極部材と前記右足首用内側電極部材とを対として通電させつつ、右手首用内側電極部材と左足首用内側側電極部材とを対として通電させる状態とされている、
ことを特徴とする電気的刺激装置。
【請求項２】
請求項１において、
前記第１通電状態において、前記左手首用外側電極部材がプラス極とされる一方、前記右足首用外側電極部材がマイナス極とされ、さらに、前記右手首用外側電極部材がマイナス極とされる一方、前記左足首用外側電極部材がプラス極とされ、
前記第２通電状態において、前記左手首用内側電極部材がマイナス極とされる一方、前記右足首用内側電極部材がプラス極とされ、さらに、前記右手首用内側電極部材がプラス極とされる一方、前記左足首用内側側電極部材がマイナス極とされる、
ことを特徴とする電気的刺激装置。
【請求項３】
請求項１または請求項２において、
前記制御手段は、前記第１通電状態と第２通電状態との一方の通電状態を第１所定時間実行した後、、他方の通電状態を該第１所定時間とは異なる第２所定時間実行するように設定されている、ことを特徴とする電気的刺激装置。
【請求項４】
請求項３において、
第１所定時間が、前記第２所定時間よりも長くされる、ことを特徴とする電気的刺激装置。
【請求項５】
請求項３または請求項４において、
前記一方の通電状態として、前記第１通電状態と前記第２通電状態とのいずれかを選択するためのマニュアルスイッチを備えている、ことを特徴とする電気的刺激装置。
【請求項６】
請求項１または請求項２において、
前記第１通電状態と前記第２通電状態とのいずれか一方を選択するためのマニュアルスイッチを備え、
前記制御手段は、前記マニュアルスイッチによって選択された通電状態のみを所定時間実行する、
ことを特徴とする電気的刺激装置。
【請求項７】
請求項１または請求項２において、
マニュアル操作され、第１モードと第２モードとを選択するモード選択スイッチと、  マニュアル操作され、前記第１通電状態と前記第２通電状態とのいずれか一方を選択する通電状態選択スイッチと、
をさらに備え、
前記制御手段は、前記モード選択スイッチによって前記第１モードが選択されているときは、前記第１通電状態と第２通電状態とのうち前記通電状態選択スイッチによって選択された一方の通電状態を第１所定時間実行した後、他方の通電状態を該第１所定時間とは異なる第２所定時間実行し、
前記制御手段は、前記モード選択スイッチによって前記第２モードが選択されているときは、前記通電状態選択スイッチによって選択された通電状態のみを所定時間実行する、
ことを特徴とする電気的刺激装置。
【請求項８】
請求項１ないし請求項７のいずれか１項において、
所定周期毎に、所定の一定電流値まで徐々に電流値が増大された後に該一定電流値が維持されるように上限電流値が設定され、
前記第１通電状態と前記第２通電状態との通電波形が、前記所定周期よりも短い間隔で出力される矩形波とされると共に、該矩形波の電流値が前記設定された上限電流値とされ、
前記所定周期と前記矩形波の出力とが非同期とされている、
ことを特徴とする電気的刺激装置。
【請求項９】
請求項８において、
前記一定電流値と、徐々に前記一定電流値になるまでの時間と、前記矩形波の出力周波数とがマニュアル操作によって変更可能とされている、ことを特徴とする電気的刺激装置。
【発明の詳細な説明】
【技術分野】
【０００１】
本発明は、電気的刺激装置に関するものである。
【背景技術】
【０００２】
電気的刺激装置として、特許文献１に示すような低周波治療器が広く普及している。また、電気的刺激装置によって、交感神経、副交感神経の作用を抑制することも行われるようになっている。すなわち、身体の対角線上に位置する右手首と左足首との間、および左手首と右足首との間に微弱電流を流すことにより、交感神経および副交感神経の作用が抑制されることになる。
【０００３】
交感神経、副交感神経の作用を抑制するために用いられる電極は、手首、足首に装着されることになる。このための電極装置として、左右一対の挟持片を有する挟み込み式とされて、その内面ほぼ全周に渡って１つの電極部材が取付けられている。手首あるいは足首への装着状態では、１つの電極部材が、手首あるいは足首のほぼ全周を取り巻くようにされる。
【先行技術文献】
【特許文献】
【０００４】
【特許文献１】特開２００３−２４５３６３号公報
【発明の概要】
【発明が解決しようとする課題】
【０００５】
従来の電気的刺激装置による交感神経、副交感神経の抑制作用は、常に、交感神経の作用と副交感神経の作用とを同時に抑制するものであり、その一方のみを任意に抑制するということは考えられていないものである。この一方、最近では、例えば交感神経のみを抑制することや、副交感神経のみを抑制することが強く要求されるようになっている。例えば、痛みの軽減や睡眠障害の治療のために、もっぱら交感神経の作用を抑制することが望まれる。また、心因性の疾患に対しては、副交感神経の作用を抑制することが望まれる。
【０００６】
本発明は以上のような事情を勘案してなされたもので、その目的は、交感神経と副交感神経の任意の一方をもっぱら抑制することのできるようにした電気的刺激装置を提供することにある。
【課題を解決するための手段】
【０００７】
前記目的を達成するため、本発明にあっては、基本的に、手首、足首のうち、電極が装着される位置の相違によって、もっぱら交感神経を抑制したり、もっぱら副交感神経を抑制することが可能である、ということの知見に基づいてなされている。具体的には、交感神経の作用抑制は、電極を、手首の内側（手のひら側の面）と足首の内側（足の親指側の面）に装着して微弱電流を流すことにより得られる。逆に、副交感神経の作用抑制は、電極を、手首の外側（手の甲側の面）と足首の外側（足の小指側の面）に装着して微弱電流を流すことにより得られる。
【０００８】
本発明における電気的刺激装置にあっては、具体的には、次のような解決手法を採択してある。すなわち、請求項１に記載のように、
身体の対角線上にある左手首と右足首との間および右手首と左足首との間に微弱電流を流して、交感神経、副交感神経の作用を抑制するようにした電気的刺激装置であって、
手首の内側にのみ装着される左右一対の手首用内側電極部材と、
手首の外側にのみ装着される左右一対の手首用外側電極部材と、
足首の内側にのみ装着される左右一対の足首用内側電極部材と、
足首の外側にのみ装着される左右一対の足首用外側電極部材と、
前記各電極部材間での通電状態を切換制御する制御手段と、
を備え、
前記制御手段は、第１通電状態と第２通電状態との間で切換制御するように設定され、
前記第１通電状態が、前記左手首用外側電極部材と前記右足首用外側電極部材とを対として通電させつつ、前記右手首用外側電極部材と左足首用外側電極部材とを対として通電させる状態とされ、
前記第２通電状態が、前記左手首用内側電極部材と前記右足首用内側電極部材とを対として通電させつつ、右手首用内側電極部材と左足首用内側側電極部材とを対として通電させる状態とされている、
ようにしてある。上記解決手法によれば、第１通電状態とすることにより、もっぱら副交感神経の作用を抑制することができる。また、第２通電状態とすることにより、もっぱら交感神経の作用を抑制することができる。そして、この第１通電状態と第２通電状態とを任意に選択することができ、患者の症状に応じた適切な治療をより効果的に行うことができる。
【０００９】
上記解決手法を前提とした好ましい態様は、請求項２〜請求項９に記載のとおりである。すなわち、
前記第１通電状態において、前記左手首用外側電極部材がプラス極とされる一方、前記右足首用外側電極部材がマイナス極とされ、さらに、前記右手首用外側電極部材がマイナス極とされる一方、前記左足首用外側電極部材がプラス極とされ、
前記第２通電状態において、前記左手首用内側電極部材がマイナス極とされる一方、前記右足首用内側電極部材がプラス極とされ、さらに、前記右手首用内側電極部材がプラス極とされる一方、前記左足首用内側側電極部材がマイナス極とされる、
ようにしてある（請求項２対応）。この場合、各電極部材のプラス極とマイナス極との設定を、副交感神経の作用抑制と交感神経の作用抑制とのそれぞれについて、東洋医学の見地からもっとも好ましい設定とすることができる。
【００１０】
前記制御手段は、前記第１通電状態と第２通電状態との一方の通電状態を第１所定時間実行した後、、他方の通電状態を該第１所定時間とは異なる第２所定時間実行するように設定されている、ようにしてある（請求項３対応）。この場合、副交感神経と交感神経との一方の作用抑制を重視した治療を行いつつ、他方の作用をも抑制して、全体としてバランスよい治療を一挙に行うことができる。
【００１１】
第１所定時間が、前記第２所定時間よりも長くされる、ようにしてある（請求項４対応）。この場合、請求項３に対応した効果を十分に発揮させる上で好ましいものとなる。
【００１２】
前記一方の通電状態として、前記第１通電状態と前記第２通電状態とのいずれかを選択するためのマニュアルスイッチを備えている、ようにしてある（請求項５対応）。この場合、先に選択される通電状態をマニュアル選択することができる。
【００１３】
前記第１通電状態と前記第２通電状態とのいずれか一方を選択するためのマニュアルスイッチを備え、
前記制御手段は、前記マニュアルスイッチによって選択された通電状態のみを所定時間実行する、
ようにしてある（請求項６対応）。この場合、もっぱら副交感神経の作用抑制のみを行う治療と、もっぱら交感神経の作用抑制のみを行う治療とを任意に選択することができる。
【００１４】
マニュアル操作され、第１モードと第２モードとを選択するモード選択スイッチと、
マニュアル操作され、前記第１通電状態と前記第２通電状態とのいずれか一方を選択する通電状態選択スイッチと、
をさらに備え、
前記制御手段は、前記モード選択スイッチによって前記第１モードが選択されているときは、前記第１通電状態と第２通電状態とのうち前記通電状態選択スイッチによって選択された一方の通電状態を第１所定時間実行した後、他方の通電状態を該第１所定時間とは異なる第２所定時間実行し、
前記制御手段は、前記モード選択スイッチによって前記第２モードが選択されているときは、前記通電状態選択スイッチによって選択された通電状態のみを所定時間実行する、
ようにしてある（請求項７対応）。この場合、請求項３，請求項６に対応した効果を得ることができる。
【００１５】
所定周期毎に、所定の一定電流値まで徐々に電流値が増大された後に該一定電流値が維持されるように上限電流値が設定され、
前記第１通電状態と前記第２通電状態との通電波形が、前記所定周期よりも短い間隔で出力される矩形波とされると共に、該矩形波の電流値が前記設定された上限電流値とされ、
前記所定周期と前記矩形波の出力とが非同期とされている、
ようにしてある（請求項８対応）。この場合、好ましい通電波形が提供される。また、電流値の上限設定のための制御と矩形波の出力制御とを非同期としてあるので、制御上も簡単であり、しかも最終的に得られる治療波形を刻々を変化させることができる。
【００１６】
前記一定電流値と、徐々に前記一定電流値になるまでの時間と、前記矩形波の出力周波数とがマニュアル操作によって変更可能とされている、ようにしてある（請求項９対応）
。この場合、治療効果に影響を与えるパラメータをマニュアル選択可能として、患者に応じた適切な治療を行う上で好ましいものとなる。
【００１７】
【００１８】
【００１９】
【００２０】
【発明の効果】
【００２１】
本発明の電気的刺激装置によれば、もっぱら副交感神経の作用抑制ともっぱら交感神経の作用抑制とを任意に選択して行うことができる。
【図面の簡単な説明】
【００２２】
【図１】副交感神経作用抑制の通電状態を示す説明図。
【図２】交感神経作用抑制の通電状態を示す説明図。
【図３】各電極部材への通電制御系統例を示す図。
【図４】電極部材の組み合わせをまとめて示す図。
【図５】マニュアル変更可能なパラメータを示す図。
【図６】好ましい通電波形例を示す図。
【図７】電極装置の一例を示す側面図。
【図８】図７を上方から見た上面図。
【図９】図７に示す電極装置における一方の装着部材の分解断面図。
【図１０】本発明の制御例を示すフローチャート。
【発明を実施するための形態】
【００２３】
図１は、副交感神経作用抑制のための電極部材の配置と通電状態とを示すものである。すなわち、右手首の外側（手の甲側の面）に電極部材Ｄ３が装着され、左足首の外側（足の小指側の面）に電極部材Ｄ４が装着される。この電極部材Ｄ３とＤ４とが一対の電極部材を構成する。また、左手首の外側に電極部材Ｄ８が装着され、右足首の外側に電極部材Ｄ７が装着される。この電極部材Ｄ８とＤ７とが一対の電極部材を構成する。
【００２４】
例えば、電極部材Ｄ３をマイナス極、電極部材Ｄ４をプラス極として通電することにより、矢印Ａ１で示すように身体を対角線上に微弱電流が流れる。また、例えば、電極部材Ｄ８をプラス極、電極部材Ｄ７をマイナス極として通電することにより、矢印Ａ２で示すように身体を対角線上に微弱電流が流れる。このような通電状態が例えば第１通電状態とされて、副交感神経の作用が抑制されることになる。
【００２５】
図２は、交感神経作用抑制のための電極部材の配置と通電状態とを示すものである。すなわち、右手首の内側（手のひら側の面）に電極部材Ｄ１が装着され、左足首の内側（足の親指側の面）に電極部材Ｄ２が装着される。この電極部材Ｄ１とＤ２とが一対の電極部材を構成する。また、左手首の内側に電極部材Ｄ６が装着され、右足首の内側に電極部材Ｄ５が装着される。この電極部材Ｄ６とＤ５とが一対の電極部材を構成する。
【００２６】
例えば、電極部材Ｄ１をプラス極、電極部材Ｄ２をマイナス極として通電することにより、矢印Ｂ１で示すように身体を対角線上に微弱電流が流れる。また、例えば、電極部材Ｄ６をマイナス極、電極部材Ｄ５をプラス極として通電することにより、矢印Ｂ２で示すように身体を対角線上に微弱電流が流れる。このような通電状態が例えば第２通電状態とされて、交感神経の作用が抑制されることになる。
【００２７】
図３は、前述したような第１通電状態と第２通電状態とを任意に得るための制御回路例が示される。なお、図２では、電源回路等は省略してあり、本発明に関連した要部のみが示される。この図２において、１は一定電流のマイクロカレント（微弱電流）を出力する出力回路である。この出力回路１からの出力が、互いに並列な出力部としてのチャネルＣＨ１とＣＨ２に入力される。
【００２８】
チャネルＣＨ１のプラス出力部１１に対しては、リレースイッチＲ１を介して、電極部材Ｄ１とＤ４とが選択的に接続される。チャネルＣＨ１のマイナス出力部１２に対しては、リレースイッチＲ２を介して、電極部材Ｄ２とＤ３とが選択的に接続される。
【００２９】
チャネルＣＨ２のプラス出力部１３に対しては、リレースイッチＲ３を介して、電極部材Ｄ５とＤ８とが選択的に接続される。チャネルＣＨ２のマイナス出力部１４に対しては、リレースイッチＲ４を介して、電極部材Ｄ６とＤ７とが選択的に接続される。
【００３０】
リレースイッチＲ１〜Ｒ４は互いに連動されて、電極部材Ｄ４、Ｄ３，Ｄ８，Ｄ７に通電される第１通電状態（図１の通電状態）と、電極部材Ｄ１、Ｄ２，Ｄ５，Ｄ６に通電される第２通電状態（図２の通電状態）とが選択的に切換えられる。リレースイッチＲ１〜Ｒ４は、マイクロコンピュータを利用して構成されたコントローラＵの制御によって、上記第１通電状態と第２通電状態との切換制御が行われる。図４には、前述したチャネルＣＨ１、ＣＨ２と、各電極部材Ｄ１〜Ｄ８と、手首足首の内側と外側との区別とが、まとめて示されている。
【００３１】
コントローラＵには、マニュアル操作される各種スイッチからなるスイッチ群Ｓからの操作信号が入力される。スイッチ群Ｓに含まれるスイッチとしては、例えば、治療時間の設定（変更）用スイッチ、通電電流の周波数の設定（変更）用スイッチ、上限電流値の設定（変更）用スイッチ、後述するWave Slopeの設定（変更）用スイッチ、モード選択スイッチ、通電状態選択スイッチとされている。
【００３２】
図６は、１対の電極部材間における好ましい通電波形例が示される。この図６において、一点鎖線は、上限電流値の設定例を示す。上限電流値は、当初は、一定電流値まで徐々に（実施形態では線形的に）増大され、この一定電流値に増大されるまでの時間が、前述のWave Slopeとされる。Wave Slopeが小さいほど、一定電流値まで急激に上昇されることになる。そして、一定電流値まで上昇されると、所定周期（実施形態では２．５秒）が経過するまで、この一定電流値が継続され、以後同様のことが繰り返される。
【００３３】
一方、治療用の通電波形は、基本的に前記所定周期よりも短い周期（例えば１．１１秒）で出力される矩形波（実施形態では例えばデューティ比５０％とされる）。ただし、治療波形となる矩形波の電流値は、上述した上限電流値にしたがうものとなる。そして、設定上限電流値（の周期）と矩形波の出力（出力タイミング）とは、非同期とされている。つまり、上限電流値の設定は、例えば２．５秒周期で変化されるのに対して、矩形波は、例えば１．１１秒周期でもって出力される（ただし、例えばデューティ比５０％での出力）。したがって、上限電流値の所定周期でみたとき、実際に各チャネルＣＨ１、ＣＨ２から出力される電流波形は、図６実線で示すようになり、出力される電流波形は、上限電流値を設定する周期毎に微妙に変化されることになる。図６実線で示したような電流波形は、出力回路１によって形成されて、各チャネルＣＨ１、ＣＨ２に出力される。
【００３４】
図５には、出力回路１でもって変更される各種パラメータの一例が示される。この図５において、矩形波の周波数が変更される。また、上限電流値設定の際の一定電流値の大きさが変更される。さらに、Wave Slopeが変更される。なお、Wave Slopeは、短いときは急性の痛みに適しており、長いときは筋肉疲労に適しており、中間のときは一般痛に適している。
【００３５】
次に、図７〜図９を参照しつつ、手首、足首に装着される電極装置Ｖの一例について説明する。なお、電極装置Ｖは、手首用、足首用のそれぞれについて共通とされており、１つの電極装置Ｖが、内側用の電極部材と外側用の電極部材とを有するものとなっている。
【００３６】
電極装置Ｖは、まず、第１装着部材１０と第２０とを有する。各装着部材１０、２０は、例えば非導電性部材としての合成樹脂によって、図７左右方向に長く、その幅方向（図７紙面直角方向）には短く形成されている。装着部材１０と２０とは、回動軸３０によって回動自在に連結されて、回動軸３０周りを揺動することによって、その先端部（図７左方側端部）同士が開閉される。すなわち、操作部としての基端部（図７右方側端部）同士が接近するように外力を加えることにより、その先端部が開かれることになる。そして、例えば回動軸３０周りに装備したコイルバネからなるリターンスプリング３１によって、外力を加えない限り閉じ状態を維持するようになっている（図７は、閉じ状態からわずかに開いた状態を示す）。
【００３７】
第１装着部材１０の先端部内面には、例えば導電性ゴムからなる第１電極部材１１が、固定具１２によって固定されている。同様に、第２装着部材２０の先端部内面には、例えば導電性ゴムからなる第２電極部材２１が、固定具２２によって固定されている。各電極部材１１と２１とは、少なくとも装着部材１０と２０とが開かれた使用状態では非接触状態とされる。そして、各電極部材１１，２１は、手首あるいは足首の周囲の広い範囲に渡って極力接触するように、内面側に向けて凹となるように湾曲形成され、これに応じて各装着部材１０，２０の先端部も内面側に向けて凹となるように湾曲形成されている。
【００３８】
第１装着部材１０の先端部外面には、外方に向けて膨出する膨出部１０ａが形成される一方、第１電極部材１１の外面には、膨出部１０ａ内に突出する突出部１１ａが形成されている。そして、膨出部１０ａの基端面側には、取付孔１０ｂが形成され、この取付孔１０ｂに対応して、第１電極部材１１の突出部１１ａには接続孔１１ｂが形成されている。
【００３９】
第１電極部材１１用の配線１５の先端部に、接続孔１１ｂ内にきつく嵌合される接続ピン１５ａが接続され、この接続ピン１５ａの基端部付近には、例えば合成樹脂等の非導電性部材からなる円筒状の取付把持部１５ｂが形成されている。取付把持部１５ｂを把持しつつ、接続ピン１５ａを、取付孔１０ｂを通して接続孔１１ｂに挿入することにより、配線１５と第１電極部材１１との接続が行われる。
【００４０】
同様に、第２装着部材２０の先端部外面には、外方に向けて膨出する膨出部部２０ａが形成される一方、第２電極部材２１の外面には、膨出部２０ａ内に突出する突出部２１ａが形成されている。そして、膨出部２０ａの基端面側には、取付孔２０ｂが形成され、この取付孔２０ｂに対応して、第２電極部材２１の突出部２１ａには接続孔２１ｂが形成されている。
【００４１】
第２電極部材２１用の配線２５の先端部に、接続孔２１ｂ内にきつく嵌合される接続ピン２５ａが接続され、この接続ピン２５ａの基端部付近には、例えば合成樹脂等の非導電性部材からなる円筒状の取付把持部２５ｂが形成されている。取付把持部２５ｂを把持しつつ、接続ピン２５ａを、取付孔２０ｂを通して接続孔２１ｂに挿入することにより、配線２５と第２電極部材２１との接続が行われる。
【００４２】
第１装着部材１０のうち、膨出部１０ａと回動軸３０との間において、開口部１０ｃが形成されている（図９参照）。一方、第１電極部材２１の外面には、例えば合成ゴム等の非導電性部材からなりしかも弾力性を有する保持部材１７が一体化されている。この保持部材１７は、上記開口部１０ｃを通して、第１装着部材１０の外面側に突出されている。
【００４３】
保持部材１７の表面には、保持溝１８が形成されている。図８に示すように、保持溝１８は、膨出部１０ａに向けて伸びる共通案内溝１８ａと、共通案内溝１８ａの基端部側に連なる左右一対の案内溝１８ｂ、１８ｃから構成されている。共通案内溝１８ａは、第１装着部材１０の長手方向（図７左右方向）にほぼまっすぐ伸びて、その先端側は膨出部１０ａに向けて開口（開放）されている。
【００４４】
一方、左案内溝１８ｂは、共通案内溝１８ａから離間するにしたがって（第１装着部材１０の基端部に向かうにつれて）、徐々に第１装着部材１０の左側面に位置するように傾斜設定されており、その基端側は開口（開放）されている。また、右案内溝１８ｃは、共通案内溝１８ａから離間するにしたがって（第１装着部材１０の基端部に向かうにつれて）、徐々に第１装着部材１０の右側面に位置するように傾斜設定されており、その基端側は開口（開放）されている。
【００４５】
第１電極部材１１用の配線１５は、共通案内溝１８ａに第１嵌合された後、左右いずれか一方の案内溝１８ｂあるいは１８ｃに嵌合されて、第１装着部材１０の左右いずれか一方の側面側に導かれる。各案内溝１８ａ〜１８ｃに嵌合された配線１５は、弾力的に保持されて、多少の外力を受けても各案内溝１８ａ〜１８ｃへの嵌合状態が維持される。
【００４６】
上述した第１電極部材１１用の配線１５を案内保持する保持部材は、第２電極部材２１についても同様に設定されているので、その重複した説明は省略する。なお、保持部材１７に対応した保持部材が符合２７で示され、案内溝１８に対応した案内溝が符合２８で示される（案内溝２８も、案内溝１８と同様に、共通案内溝と左右一対の案内溝を有する）。図７、図８の例では、各電極部材１１、２１に連なる配線１５，２５が、装着部材１０，２０の左側側面に導かれている状態が示されているが、右案内溝を利用した配設態様とすることにより、装着部材１０，２０の右側側面に導くこともできる。
【００４７】
上述した電極装置Ｖは、基本的に、左手首用、右手首用、左足首用、右足首用とで共通とされて、合計４個用いられることになる。ただし、通電との関係に誤りが生じるのを防止すべく、４つの電極装置Ｖには、左右の区別と、手首、足首の区別と、内側、外側の区別とを行うための表示が施されている。図８では、電極装置Ｖが左足首用とされていることから、第１装着部材１０（第１電極部材１１）が、左足首の外側用であることを示すべく、「左足外」の表示αが目立つように表示されている。図示を略すが、第２装着部材２０の先端部外面側には、「左足内」の表示が施されている。
【００４８】
上述した左足首用の電極装置Ｖ以外の電極装置については、例えば次のような表示とされる。まず、右足首用の電極装置にあっては、第１装着部材１０に対して「右足外」の表示が施され、第２装着部材２０に対して「右足内」の表示が施される。
【００４９】
左手首用の電極装置にあっては、第１装着部材１０に対して「左手外」の表示が施され、第２装着部材２０に対して「左手内」の表示が施される。
【００５０】
右手首用の電極装置にあっては、第１装着部材１０に対して「右手外」の表示が施され、第２装着部材２０に対して「右手内」の表示が施される。
【００５１】
なお、「右手外」のような表示はあくまで一例であり、左右の区別と、手首足首の区別と、内側外側の区別とを示すものであれば、適宜の表示とすることができる。
【００５２】
ここで、コントローラＵには、第１通電状態と第２通電状態とを時間をずらして両方共に実行する第１モードと、第１通電状態と第２通電状態とのいずれか一方のみを実行する第２モードとが設定されている。そして、第１通電状態と第２通電状態との選択を行うスイッチの選択状態をも加味して、コントローラＵは次のような制御を行う。なお、説明の都合上、通電時間は全て一定の２分間として説明することとする。
【００５３】
第１モードが選択され、かつ第１通電状態が選択された状態の場合。この場合は、第１通電状態を９０秒継続して実行し、その後、第２通電状態を３０秒継続して実行して、治療終了とされる。このように、第１通電状態を長く実行することにより副交感神経の作用抑制をもっぱら行いつつ、第２通電状態をも短い時間だけ実行して、全体のバランスをとる治療法となる。
【００５４】
第１モードが選択され、かつ第２通電状態が選択された状態の場合。この場合は、第２通電状態を９０秒継続して実行し、その後、第１通電状態を３０秒継続して実行して、治療終了とされる。このように、第２通電状態を長く実行することにより交感神経の作用抑制をもっぱら行いつつ、第１通電状態をも短い時間だけ実行して、全体のバランスをとる治療法となる。
【００５５】
第２モードが選択され、かつ第１通電状態が選択された状態の場合。この場合は、第１通電状態が１２０秒継続して実行された後、治療が終了される。このように、第１通電状態のみを長く実行することにより、副交感神経の作用抑制が強力に行われることになる。
【００５６】
第２モードが選択され、かつ第２通電状態が選択された状態の場合。この場合は、第２通電状態が１２０秒継続して実行された後、治療が終了される。このように、第２通電状態のみを長く実行することにより、交感神経の作用抑制が強力に行われることになる。
【００５７】
図１０は、上述した第１モード、第２モードの選択と、第１通電状態、第２通電状態の選択とに応じたコントローラＵの制御例を示すフローチャートであり、以下このフローチャートについて説明する。なお、以下の説明でＱはステップを示す。
【００５８】
まず、Ｑ１において、スイッチ群Ｓでの各スイッチの操作状況が読み込まれる。この後、Ｑ２において、第１モードが選択されているか否かが判別される。このＱ２の判別でＹＥＳのときは、Ｑ３において、第１通電状態が選択されているか否かが判別される。このＱ３の判別でＹＥＳのときは、Ｑ４において、第１通電状態を長い時間継続して実行した後、第２通電状態が短い時間継続して実行される。Ｑ３の判別でＮＯのときは、第２通電状態を長い時間継続して実行した後、第１通電状態が短い時間継続して実行される。
【００５９】
前記Ｑ２の判別でＮＯのときは、Ｑ６において、第２モードが選択されているか否かが判別される。このＱ６の判別でＹＥＳのときは、Ｑ７において、第１通電状態が選択されているか否かが判別される。このＱ７の判別でＹＥＳのときは、第１通電状態（のみ）が所定時間継続して実行される。Ｑ７の判別でＮＯのときは、Ｑ９において４，第２通電状態（のみ）が所定時間継続して実行される。
【００６０】
前記Ｑ６の判別でＮＯのときは、Ｑ１にリターンされる。なお、合計の通電時間等は治療時間設定スイッチによって変更可能である。
【００６１】
以上実施形態について説明したが、本発明は、実施形態に限定されるものではなく、特許請求の範囲の記載された範囲において適宜の変更が可能であり、例えば次のような場合をも含むものである。第１モードのみを選択できるようにしてもよく、逆に第２モードのみを選択できるようにしてもよい。第１モードのとき、始めに短い時間での通電状態を実行し、その後に長い時間での通電状態を実行するようにしてもよい（通電状態選択スイッチで選択された通電状態が、後に実行される）。第１モードのときの長い通電状態と短い通電状態との割合は適宜変更することができ、この変更のためのマニュアルスイッチを設けてもよい。
【００６２】
各電極部材Ｄ１〜Ｄ８は、個々独立して身体に装着される形式であってもよい。図６に示す通電波形以外の適宜の波形でもって治療を行うようにしてもよい。勿論、本発明の目的は、明記されたものに限らず、実質的に好ましいあるいは利点として表現されたものを提供することをも暗黙的に含むものである。
【産業上の利用可能性】
【００６３】
本発明は、交感神経、副交感神経の作用抑制を効果的に行うことができる。
【符号の説明】
【００６４】
Ｒ１〜Ｒ４：リレースイッチ
Ｄ１〜Ｄ８：電極部材
Ｓ：スイッチ群
Ｕ：コントローラ
α：表示
１１〜１４：出力部
１０：第１装着部材
１１：第１電極部材
１５：配線
１７：保持部材
１８：案内溝
１８ａ：共通案内溝
１８ｂ：左案内溝
１８ｃ：右案内溝
２０：第２装着部材
２１：第２電極部材
２５：配線
２７：保持部材
２８：案内溝
３０：回動軸
３１：スプリング
【図１】
0006006517.tif 000002
【図２】
0006006517.tif 000003
【図３】
0006006517.tif 000004
【図４】
0006006517.tif 000005
【図５】
0006006517.tif 000006
【図６】
0006006517.tif 000007
【図７】
0006006517.tif 000008
【図８】
0006006517.tif 000009
【図９】
0006006517.tif 000010
【図１０】
0006006517.tif 000011